(57)【特許請求の範囲】
【請求項１】
第１軸とこの第１軸に平行な第２軸とを有する接続部材と、
前記接続部材に対して前記第１軸の軸周りに回動可能に接続された第１筐体と、
前記接続部材に対して前記第２軸の軸周りに回動可能に接続された第２筐体と、
前記接続部材に対する前記第１筐体の開き状態と前記接続部材に対する前記第２筐体の開き状態とを検出する検出部と、
前記第１筐体に設けられ、前記接続部材に対する前記第１筐体の開き状態と前記接続部材に対する前記第２筐体の開き状態とに応じた画像を表示する表示パネルと
を備える情報処理装置。
【請求項２】
前記表示パネルは、前記接続部材に対する前記第１筐体の開き状態と前記接続部材に対する前記第２筐体の開き状態との差に応じた画像を表示する、請求項１記載の情報処理装置。
【請求項３】
前記表示パネルは、前記差に応じて、向きが９０度又は２７０度異なる画像を表示する、請求項２記載の情報処理装置。
【請求項４】
前記表示パネルの表示画面は矩形形状であり、
前記表示パネルは、前記差が所定角度以上である場合に、前記表示画面の短辺方向に対応した向きの画像を表示する、請求項２記載の情報処理装置。
【請求項５】
前記表示パネルの表示画面は矩形形状であり、
前記表示パネルは、前記差が所定角度以上でない場合に、前記表示画面の長辺方向に対応した向きの画像を表示する、請求項２記載の情報処理装置。
【請求項６】
前記表示パネルは、前記差に応じた異なるプログラムについての画像を表示する、請求項２記載の情報処理装置。
【請求項７】
前記第２筐体に設けられた第２表示パネルと、当該第２表示パネルに重ねて設けられ、外部からのタッチ操作を検出するタッチパネルとを更に備え、
前記第２表示パネルは、前記差が所定角度以上大きい場合にキーボード画像を表示する、請求項２記載の情報処理装置。
【請求項８】
前記表示パネルは、前記差が一定角度以上でない場合に、当該表示パネルにおける前記第１軸の近傍の領域に、当該近傍の領域よりも前記第１軸から遠い領域における輝度よりも輝度が高い画像を表示する、請求項２記載の情報処理装置。
【請求項９】
第１軸とこの第１軸に平行な第２軸とを有する接続部材と、
前記接続部材に対して第１軸周りに回動可能に接続された第１筐体と、
前記接続部材に対して前記第１軸と平行な第２軸周りに回動可能に接続された第２筐体と、
前記接続部材に対する前記第１筐体の開き状態と前記接続部材に対する前記第２筐体の開き状態とを検出する検出部と、
前記接続部材に対する前記第１筐体の開き状態と前記接続部材に対する前記第２筐体の開き状態とに応じた処理を実行する制御手段と
を備える情報処理装置。
【請求項１０】
第１軸とこの第１軸に平行な第２軸とを有する接続部材と、前記接続部材に対して第１軸の軸周りに回動可能に接続された第１筐体と、前記接続部材に対して前記第２軸の軸周りに回動可能に接続された第２筐体と、前記第１筐体に設けられた表示パネルとを備える装置における情報処理方法であって、
前記接続部材に対する前記第１筐体の開き状態に関する第１パラメータと前記接続部材に対する前記第２筐体の開き状態に関する第２パラメータとを検出し、
検出された前記第１パラメータと前記第２パラメータとに応じて異なる画像を前記表示パネルに表示する、情報処理方法。
【請求項１１】
前記第１回動角度と前記第２回動角度とが対応する角度になるよう制限する制限手段を更に備え、
前記表示パネルは、前記制限手段が前記制限を行っているか否かに応じて異なる画像を表示する、請求項１記載の情報処理装置。
【請求項１２】
前記制限手段による制限の有効と無効をユーザ操作により切り替える切替手段を更に備える、請求項１１記載の情報処理装置。
【請求項１３】
前記接続部材に対する前記第１筐体の開き状態と前記接続部材に対する前記第２筐体の開き状態との差が一定値以上である第１の状態、及び前記差が一定値以下である第２の状態の何れか一方の状態から他方の状態に変化した場合に、前記表示パネルに表示されていた画像についての表示情報を記憶媒体に記憶させる記憶手段を更に備え、
前記表示パネルは、前記表示情報が記憶された後に前記他方の状態から前記一方の状態に変化した場合、前記表示情報に基づいた画像を表示する、請求項１２記載の情報処理装置。
【発明の詳細な説明】
【技術分野】
【０００１】
本発明の実施形態は、情報処理装置及び情報処理方法に関する。
【背景技術】
【０００２】
ラップトップ型コンピュータや折り畳み型携帯電話では、２つの筐体がヒンジ等により接続される。そして当該２つの筐体のうち一方に表示画面が設けられる。ここで、２筐体の接続形態としては、例えば２つの筐体を１軸のヒンジにより接続する形態や、２つの筐体の一方と接続用筐体とをヒンジで接続し、当該接続用筐体と他方の筐体とを別軸のヒンジで接続する２軸ヒンジの形態等が挙げられる。
【先行技術文献】
【特許文献】
【０００３】
【特許文献１】特開２００６−２４３３６０号公報
【発明の概要】
【発明が解決しようとする課題】
【０００４】
ヒンジ等の接続部品により２筐体が接続されている場合には、当該筐体の開き角に応じた好適な処理を実行できることが好ましい。
そこで本発明の実施形態は、筐体の開き角に応じた好適な処理を実行できる情報処理装置及び情報処理方法の提供を目的とする。
【課題を解決するための手段】
【０００５】
上記の課題を解決するために、本実施形態に係る情報処理装置は、第１軸とこの第１軸に平行な第２軸とを有する接続部材と、第１筐体と、第２筐体と、検出部と、表示パネルとを備える。第１筐体は、接続部材に対して第１軸の軸周りに回動可能に接続される。第２筐体は、接続部材に対して第２軸の軸周りに回動可能に接続される。検出部は接続部材に対する第１筐体の開き状態と接続部材に対する第２筐体の開き状態とを検出する。表示パネルは、第１筐体に設けられ、接続部材に対する第１筐体の開き状態と接続部材に対する第２筐体の開き状態とに応じた画像を表示する。
【図面の簡単な説明】
【０００６】
【図１】実施形態に係るコンピュータの外観例を示す図。
【図２】実施形態に係るコンピュータの接続機構例を示す図。
【図３】実施形態に係るコンピュータのシステム構成例を示す図。
【図４】実施形態に係るコンピュータの機能ブロック例を示す図。
【図５】実施形態に係るコンピュータが表示する画面例を示す図。
【図６】実施形態に係るコンピュータが表示する画面例を示す図。
【図７】実施形態に係るコンピュータによる画面表示に係る処理フロー例を示す図。
【図８】他の実施形態に係るコンピュータの外観例及び機構例を示す図。
【図９】他の実施形態に係るコンピュータによる画面表示に係る処理フロー例を示す図。
【発明を実施するための形態】
【０００７】
以下、図面を参照して実施形態を説明する。
図１は、実施形態に係る情報処理装置の外観例を示す図である。本実施形態に係る情報処理装置は、例えば折畳み型のコンピュータ１００として実現される。コンピュータ１００は、第１筐体１１０、第２筐体１２０、接続部１３０、第１表示パネル１５０、第１タッチパネル１５０ａ、第２表示パネル１６０、第２タッチパネル１６０ａ等を備える。
【０００８】
ここで第１筐体１１０と第２筐体１２０とは接続部１３０を介して接続されている。即ち、第１筐体１１０と接続部１３０とは軸３０１ａを軸とするシャフト３３０ａを介して回動可能に接続され、第２筐体１２０と接続部１３０とは軸３０１ｂを軸とするシャフト３３０ｂを介して回動可能に接続される。接続部１３０は、第１筐体１１０が接続部１３０に対して閉じた状態にある場合に、第１筐体１１０の外面１１０ａと連なる側面部１３０ａを有する。また同様に接続部１３０は、第２筐体１２０が接続部１３０に対して閉じた状態にある場合に、第２筐体１２０の外面１２０ａと連なる側面部１３０ｂを有する。そして接続部１３０は、第１筐体１１０及び第２筐体１２０が図１（Ａ）のように閉じられた状態の場合に、当該第１筐体１１０及び第２筐体１２０から離れる方向に対して延びた形状を有する。
【０００９】
第１表示パネル１５０は、第１筐体１１０の、第１筐体１１０及び第２筐体１２０が閉じた場合に第２筐体１２０に対向する面に設けられる。第１タッチパネル１５０ａは第１表示パネル１５０上に重ねて設けられる。そして第１表示パネル１５０は画像を表示し、第１タッチパネル１５０ａは、第１表示パネル１５０に表示された画像に対するコンピュータ１００外からのタッチ操作入力を検出して受け付ける。また第２表示パネル１６０は、第２筐体１２０の、第１筐体１１０及び第２筐体１２０が閉じた場合に第１筐体１１０に対向する面に設けられる。第２タッチパネル１６０ａは第２表示パネル１６０上に重ねて設けられる。そして第２表示パネル１６０は画像を表示し、第２タッチパネル１６０ａは、第２表示パネル１６０に表示された画像に対するコンピュータ１００外からのタッチ操作入力を検出して受け付ける。
【００１０】
また、第１筐体１１０には、コンピュータ１００に対する電源ＯＮ／ＯＦＦ操作を受ける電源ボタン２１２が、第２筐体１２０には、コンピュータ１００に対する表示モード切替操作を受けるモード切替ボタン２１３が設けられている。なおモード切替ボタン２１３については後述する。
【００１１】
第１筐体１１０及び第２筐体１２０は、接続部１３０に対して様々な角度の状態をとることができる。例えば図１（Ａ）に示すように、第１筐体１１０及び第２筐体１２０を閉じた状態や、図１（Ｂ）に示すように、第１筐体１１０と第２筐体１２０とが接続部１３０に対して略同一の角度で開いた状態、また、図１（Ｃ）に示すように、第１筐体１１０と第２筐体１２０とが接続部１３０に対して異なる角度で開いた状態をとることができる。そして図１（Ｂ）に示した状態にある場合にコンピュータ１００は、第１筐体１１０の端部１１０ｂと、第２筐体１２０の端部１２０ｂと、接続部１３０の端部１３０ｃとが外部設置平面上に接する構造となっている。
【００１２】
ここで第１筐体１１０と接続部１３０とを接続する接続機構３００（図１には不図示）には、第１筐体１１０の接続部１３０に対する開き角を検出する角度検出モジュール２０８ａが設けられる。同様に第２筐体１２０と接続部１３０とを接続する接続機構３００には、第２筐体１２０の接続部１３０に対する開き角を検出する角度検出モジュール２０８ｂが設けられる。つまり角度検出モジュール２０８ａ及び２０８ｂは、例えば図１（Ａ）乃至（Ｃ）に示すような、第１筐体１１０及び第２筐体１２０の様々な開き状態を検出することができる。
【００１３】
次に図２（A）及び（B）を参照して、第１筐体１１０と第２筐体１２０と接続部１３０とを接続する接続機構３００を説明する。接続機構３００は、ベース３１０ａ、ベース３２０、シャフト３３０ａ、キャップ３４０ａ、キャップ３５０ａ、バネ３６０ａ、ギア３７０ａ、ギア３８０ａ、ベース３１０ｂ、シャフト３３０ｂ、キャップ３４０ｂ、キャップ３５０ｂ、バネ３６０ｂ、ギア３７０ｂ、ギア３８０ｂ等を備える。
【００１４】
まず、第１筐体１１０側に係る構成を説明する。ベース３１０ａは第１筐体１１０に固定され、ベース３２０は接続部１３０に固定される。また、ベース３２０は、接続部１３０に固定される固定部分３２０ａと、固定部分３２０から起立した起立部分３２０ｂとを含む。シャフト３３０ａは、ベース３１０ａに固定され、起立部分３２０ｂに対して軸３０１ａ周りに回動可能に接続される。またキャップ３４０ａはシャフト３３０ａの起立部分３２０b側の一端に取り付けられる。
【００１５】
キャップ３５０ａは起立部分３２０ｂに対して回動可能に設けられる。キャップ３５０ａには、コイルバネ３６０ａが巻きつけられ、当該コイルバネ３６０ａの一端がキャップ３５０aに、他端が角度検出モジュール２０８ａに固定される。
【００１６】
ここで、キャップ３４０ａにはギア３７０ａが、キャップ３５０ａにはギア３８０ａが固定される。そしてギア３７０ａとギア３８０ａとは互いに噛み合うように設けられる。つまり、第１筐体１１０が軸３０１ａ周りに回動する場合、当該第１筐体１１０に接続されるベース３１０ａに接続されたギア３８０ａは、当該回動の力をギア３７０ａに伝達させる。そしてギア３７０ａに接続されたキャップ３５０ａが回動すると、当該キャップ３５０ａに対してコイルバネ３６０ａを介して接続された角度検出モジュール２０８ａには、ベース３１０ａの回動角度に応じた圧力が付加される。そして角度検出モジュール２０８ａは、当該圧力を検出することにより、ベース３１０ａの回動角度、即ち第１筐体１１０の軸３０１ａ周りの回動角度を検出する。
【００１７】
第２筐体１２０側について説明する。ベース３１０ｂは第２筐体１２０に固定され、ベース３２０は接続部１３０に固定される。シャフト３３０ｂは、ベース３１０ｂに固定され、起立部分３２０ｂに対して軸３０１ｂ周りに回動可能に接続される。またキャップ３４０ｂはシャフト３３０ｂの起立部分３２０b側の一端に取り付けられる。
【００１８】
キャップ３５０ｂは起立部分３４０ｂに対して回動可能に設けられる。キャップ３５０ｂには、コイルバネ３６０ｂが巻きつけられ、当該コイルバネ３６０ｂの一端がキャップ３５０ｂに、他端が角度検出モジュール２０８ｂに固定される。キャップ３４０ｂにはギア３７０ｂが、キャップ３５０ｂにはギア３８０ｂが固定される。そしてギア３７０ｂとギア３８０ｂとは互いに噛み合うように設けられる。
【００１９】
つまり、第２筐体１２０が軸３０１ｂ周りに回動する場合、当該第２筐体１２０に接続されるベース３１０ｂに接続されたギア３８０ｂは、当該回動の力をギア３７０ｂに伝達させる。そしてギア３７０ｂに接続されたキャップ３５０ｂが回動すると、当該キャップ３５０ｂに対してコイルバネ３６０ｂを介して接続された角度検出モジュール２０８ｂには、ベース３１０ｂの回動角度に応じた圧力が付加されることとなる。そして角度検出モジュール２０８ｂは、当該圧力を検出することにより、ベース３１０ｂの回動角度、即ち第２筐体１２０の軸３０１ｂ周りの回動角度を検出する。なお、角度検出モジュール２０８は、コンピュータ１００の電源が投入されている場合に常時角度を検出しても良いが、例えば数ミリ秒毎等の所定の期間毎に角度を検出してもよい。また、例えば回動角度が変更されたのち所定期間後に角度検出を停止し、再度角度が変更された場合に再び角度検出を開始してもよい。
【００２０】
なお、図２においては、第１筐体１１０及び第２筐体１２０の回動角度を例えば圧力により検出する構成を示しているが、角度を検出する構成はこれに限るものではない。例えば、シャフト３３０ａに、軸３０１ａを軸とする角度に応じて異なる強度の磁界を発生させるように磁性材料を塗布し、当該シャフト３３０ａの近傍に磁気を検出するセンサを設ければ、当該センサはシャフト３３０ａの回転に応じて異なる強度の磁界を検出することで回動角度を検出できる。
【００２１】
また、接続機構３００においては、第１筐体１１０が接続部１３０に対して回動する際の抵抗トルクと、第２筐体１２０が接続部１３０に対して回動する際の抵抗トルクとが異なるように、コイルバネ３６０ａ及び３６０ｂのバネの線径等を変えてもよい。
【００２２】
次に図３を参照してコンピュータ１００のシステム構成例を説明する。コンピュータ１００は、ＣＰＵ２０１、ノースブリッジ２０２、主メモリ２０３、ＧＰＵ２０４、サウスブリッジ２０５、ＢＩＯＳ−ＲＯＭ２０６、ＨＤＤ２０７、角度検出モジュール２０８、傾き検出モジュール２０９、エンベデッドコントローラ（ＥＣ）２１０、タッチパネルコントローラ２１1、電源ボタン２１２、モード切替ボタン２１３、第１表示パネル１５０、第１タッチパネル１５０ａ、第２表示パネル１６０、第２タッチパネル１６０ａ等を備える。
【００２３】
ＣＰＵ２０１は、コンピュータ１００の動作を制御する機能を有する。ここでＣＰＵ２０１は、オペレーティングシステム（ＯＳ）２２０、表示制御プログラム４００等の各種プログラムを主メモリ２０３に読み出して実行する。なお表示制御プログラム４００については図３乃至図７を参照して後述する。
【００２４】
ノースブリッジ２０２は、ＣＰＵ２０１とサウスブリッジ２０５とを接続するブリッジデバイスである。また、ノースブリッジ２０２には、主メモリ２０３を制御するメモリコントローラが内蔵されている。さらにノースブリッジ２０２はＧＰＵ２０４との通信機能を有し、ＣＰＵ２０１からの指示に応じた画像処理をＧＰＵ２０４に実行させる。
【００２５】
ＧＰＵ２０４は、コンピュータ１００の表示部である第１表示パネル１５０及び第２表示パネル１６０の表示コントローラとして動作する。ＧＰＵ２０４は、ＣＰＵ２０１から入力された映像データを、表示パネル１５０及び１６０等の表示デバイスで表示可能な形式の映像信号に変換して、当該映像信号を表示パネル１５０及び１６０に出力する。そして表示パネル１５０及び１６０は、ＧＰＵ２０４からの出力された映像信号に従って映像を表示する。
【００２６】
サウスブリッジ２０５は、ＰＣＩ（Ｐｅｒｉｐｈｅｒａｌ  Ｃｏｍｐｏｎｅｎｔ  Ｉｎｔｅｒｃｏｎｎｅｃｔ）バス上の各デバイスおよびＬＰＣ（Ｌｏｗ  Ｐｉｎ  Ｃｏｕｎｔ）バス上の各種デバイスの制御部として機能する。またサウスブリッジ２０５には、ＢＩＯＳ−ＲＯＭ２０６、ＨＤＤ２０７等が接続される。そしてサウスブリッジ２０５は、ＨＤＤ２０７を制御するＩＤＥ（Ｉｎｔｅｇｒａｔｅｄ  Ｄｒｉｖｅ  Ｅｌｅｃｔｒｏｎｉｃｓ）コントローラを内蔵している。
【００２７】
ＢＩＯＳ−ＲＯＭ２０６は、コンピュータ１００のハードウェアを制御するためのプログラムであるＢＩＯＳ（Ｂａｓｉｃ  Ｉｎｐｕｔ／Ｏｕｔｐｕｔ  Ｓｙｓｔｅｍ）を格納する。ＨＤＤ２０７は、オペレーティングシステム（ＯＳ）２２０や、表示制御プログラム４００等の各種プログラムを記憶する記憶媒体である。またＨＤＤ２０７は、写真等の画像データを格納する。
【００２８】
角度検出モジュール２０８及び傾き検出モジュール２０９は、ＰＣＩバスを介してサウスブリッジ２０５に接続される。ここで角度検出モジュール２０８は、例えば前述の角度検出モジュール２０８ａ及び２０８ｂであり、第１筐体１１０及び第２筐体１２０の回動角度を検出する。傾き検出モジュール２０９は、ジャイロセンサによりコンピュータ１００の傾きを検出する。
【００２９】
ＥＣ２１０は、ＬＰＣバスを介してサウスブリッジ２０５に接続される。ＥＣ２１０は、第１タッチパネル１５０ａや第２タッチパネル１６０ａを制御するタッチパネルコントローラ２１０と、電源ボタン２１２及びモード切替ボタン２１３等の各種ボタンを制御するボタンコントローラ（不図示）とを備える。ここで、第１タッチパネル１５０ａ、第２タッチパネル１６０ａ、電源ボタン２１２、及びモード切替ボタン２１３は、コンピュータ１００外からの各種操作入力を受け付ける。そしてＥＣ２１０は、それらの操作入力信号をＣＰＵ２０１に出力する。
【００３０】
次に図４を参照して、表示制御プログラム４００の機能構成を説明する。表示制御プログラム４００は、角度判別部４０１、制御部４０２、ＧＵＩ生成部４０３等の機能ブロックを備える。
【００３１】
角度判別部４０１には、角度検出モジュール２０８から角度情報が入力される。ここで角度情報とは、第１筐体１１０及び第２筐体１２０の回動角度についての情報である。角度判別部４０１は、当該角度情報に基づいて、第１筐体１１０及び第２筐体１２０が、接続部１３０に対して何れの角度で回動しているかを判別する。なお、ここで角度判別部４０１は、例えば第１筐体１１０及び第２筐体１２０が閉じている状態の角度を０度として、第１筐体１１０及び第２筐体１２０の閉状態からの開き角を判別するものとする。
【００３２】
また角度判別部４０１は、例えば、第１筐体１１０及び第２筐体１２０の開き角の和が所定角度以上であるか否か、第１筐体１１０及び第２筐体１２０の夫々の開き角に所定角度以上の差があるか否か等を判別し、これらの判別結果を制御部４０２に出力する。
【００３３】
制御部４０２には、角度判別部４０１からの角度判別結果が入力される。そして制御部４０２は、入力された角度判別結果に応じて異なる処理を実行する。制御部４０２は、角度判別部４０１から、例えば第１筐体１１０及び第２筐体１２０の開き角の和が所定角度以上であり、第１筐体１１０及び第２筐体１２０の夫々の開き角の差が所定角度以上である旨の判別結果が入力されると、コンピュータ１００に第１ＰＣモードでの処理を実行させる。当該第１ＰＣモードでは、第１筐体１１０及び第２筐体１２０のうち、開き角が小さな筐体側の表示パネルにキーボード画像が表示され、他方の表示パネルにはデスクトップ画面やアプリケーションウィンドウ画面が表示される。つまり制御部４０２は、第１ＰＣモードを実行する場合に、ＧＵＩ生成部４０３に対して第１ＰＣモードの画面の生成を指示する。なお当該第１ＰＣモードの画面構成例の詳細は図５にて後述する。
【００３４】
また制御部４０２は、角度判別部４０１から、例えば第１筐体１１０及び第２筐体１２０の開き角の和が所定角度以上であり、第１筐体１１０及び第２筐体１２０の夫々の開き角の差が所定角度未満である旨の判別結果が入力されると、第２ＰＣモードと書籍モードとフォトスタンドモードとのうち何れかのモードでの処理をコンピュータ１００に実行させる。なおコンピュータ１００は、例えばユーザからの設定操作入力に応じて、何れのモードを実行するかを決定してもよい。またコンピュータ１００は、何れかのモードを実行している場合にモード２１３に対する操作入力を受けると、他のモードに遷移してもよい。
【００３５】
第２ＰＣモードとは、第１表示パネル１５０及び第２表示パネル１６０に、第１ＰＣモードとは異なる向きで画面を表示する表示モードである。当該第２ＰＣモードでは、第１表示パネル１５０及び第２表示パネル１６０の両方にデスクトップ画面が表示され、またキーボード画像も第１表示パネル１５０及び第２表示パネル１６０の両方に亘って表示される。なお第２ＰＣモードの画面構成例の詳細は図５にて後述する。
【００３６】
書籍モードとは、例えば電子書籍コンテンツを表示する表示モードである。制御部４０２は、例えばＨＤＤ２０７に格納された書籍表示プログラム（不図示）の実行により、当該書籍モードでの表示を実現する。なお書籍モードの画面構成例の詳細は図６にて後述する。
【００３７】
フォトスタンドモードとは、ＨＤＤ２０７に格納された写真等の画像を、例えば第１表示パネル１５０及び第２表示パネル１６０の全面に表示する表示モードである。制御部４０２は、例えばＨＤＤ２０７に格納された画像表示プログラム（不図示）の実行により、当該フォトスタンドモードでの表示を実現する。なおフォトスタンドモードの画面構成例の詳細は図６にて後述する。
【００３８】
ＧＵＩ生成部４０３は、制御部４０２からの指示に応じたＧＵＩを生成し、生成したＧＵＩをＧＰＵ２０４に出力し、第１表示パネル１５０及び第２表示パネル１６０に画像を表示させる。
【００３９】
次に図５を参照して、コンピュータ１００が第１ＰＣモードと第２ＰＣモードとにおいて生成・表示する画面例を説明する。図５（Ａ）は、第１筐体１１０の開き角θ２が第２筐体１２０の開き角θ１よりも所定角度以上小さい場合、即ち第１ＰＣモードの場合にＧＵＩ生成部４０３が生成し、第１表示パネル１５０及び第２表示パネル１６０が表示する画面例である。当該第２ＰＣモードにおいて、第１表示パネル１５０及び第２表示パネル１６０は、文字等の画像を含む画面を、軸３０１ａ及び軸３０１ｂに対して直角の方向に対応する向きで表示する。つまり第１表示パネル１５０が表示する画面Ｐ２０には、当該パネル１５０の短辺方向に沿った向きに文字等の画像が配置される。また同様に、第２表示パネル１６０が表示する画面Ｐ１０には、当該パネル１６０の短辺方向に沿った向きに文字等の画像が配置される。
【００４０】
画面Ｐ１０には、各種アプリケーションやファイルにアクセスする操作を受け付けるアイコン画像Ｐ１１や、実行中のアプリケーションに関するアプリケーションウィンドウ画像Ｐ１２が配置される。画面Ｐ２０には、ユーザからのキー入力を受け付けるキーボード画像Ｐ２１、及びキーボード画像の表示／非表示を切り替える操作を受け付ける切替画像Ｐ２２等が配置される。なお制御部４０２は、第１筐体１１０及び第２筐体１２０の夫々の開き角の差が所定角度以上である旨の判別結果が入力されると、第１筐体１１０及び第２筐体１２０のうち開き角の大きい方の筐体に設けられた表示パネルに画面Ｐ１０を、開き角の小さいほうの筐体に設けられた表示パネルに画面Ｐ２０を表示させる。更に制御部４０２は、第１筐体１１０と第２筐体１２０との接続部１３０に対する回動の抵抗トルク異なる場合、当該抵抗トルクが大きい方の筐体側の表示パネルに優先的に画面Ｐ２０を表示しても良い。そして制御部４０２は、第１タッチパネル１５０ａや第２タッチパネル１６０ａがこれら画像に対するタッチ操作を受けると、操作を受けた画像に応じた処理を実行する。
【００４１】
つまり、例えば第１タッチパネル１５０ａがキーボード画像Ｐ２１に含まれる何れかのキー画像に対する操作を受けると、制御部４０２はオペレーティングシステムに対して当該キー画像に対応するキーコードを出力する。また第１タッチパネル１５０ａが切替ボタンＰ２２に対するタッチ操作を受けると、制御部４０２はＧＵＩ生成部４０３に対してキーボード画像Ｐ２１の生成の停止を指示する。なお第１表示パネル１５０は、キーボード画像Ｐ２１が非表示の場合、画面にデスクトップ画像を表示しても良い。つまりコンピュータ１００は、第１表示パネル１５０及び第２表示パネル１６０の両方に、デスクトップ画像及び当該デスクトップ画像上のアイコン画像Ｐ１１やウィンドウ画像Ｐ１２を表示してもよい。
【００４２】
なお図５左図においては、第１筐体１１０が接続部１３０に対して開いている状態を示しているが、コンピュータ１００は第１筐体１１０が開いていない状態、即ち図５におけるθ２が０度の場合にも第１ＰＣモードを実行しても良い。そしてθ２が０度の場合にコンピュータ１００が外部設置平面上に設置されると、第１筐体１１０の外面１１０ａと接続部１３０の側面部１３０ａとの両方が外部設置平面に接する。
【００４３】
図５（Ｂ）は、第１筐体１１０の開き角θ３と第２筐体１２０の開き角θ４の差が所定角度未満である場合であって、コンピュータ１００に第２ＰＣモードが設定されている場合にＧＵＩ生成部４０３が生成し、第１表示パネル１５０及び第２表示パネル１６０が表示する画面例である。当該第２ＰＣモードにおいて、第１表示パネル１５０及び第２表示パネル１６０は、文字等の画像を含む画面を、軸３０１ａ及び軸３０１ｂに対して平行な方向に対応する向きで表示する。つまり第１表示パネル１５０が表示する画面Ｐ３０には、当該パネル１５０の長辺方向に沿った向きで文字等の画像が配置される。また同様に、第２表示パネル１６０が表示する画面Ｐ４０には、当該パネル１６０の長辺方向に沿った向きで文字等の画像が配置される。
【００４４】
画面Ｐ３０には、アイコン画像Ｐ３１、アプリケーションウィンドウ画像Ｐ３２、キーボード画像Ｐ３３、切替画像Ｐ３４が配置される。画面Ｐ４０には、アプリケーションウィンドウ画像Ｐ４１及びキーボード画像Ｐ４２等が配置される。そして制御部４０２は、第１タッチパネル１５０ａや第２タッチパネル１６０ａがこれら画像に対するタッチ操作を受けると、操作を受けた画像に応じた処理を実行する。
【００４５】
つまり、例えば第１タッチパネル１５０ａが切替ボタンＰ３４に対するタッチ操作を受けると、制御部４０２はＧＵＩ生成部４０３に対してキーボード画像Ｐ３３及びＰ４２の生成の停止を指示する。なお第１表示パネル１５０及び第２表示パネル１６０は、キーボード画像Ｐ３３及びＰ４２が非表示の場合、当該キーボード画像が配置されていた画面範囲にデスクトップ画像を表示しても良い。また制御部４０２は、アプリケーションウィンドウ画像Ｐ３２及びＰ４１を、これら画像の全体が１の表示パネル内に表示されるようにＧＵＩ生成部４０３に指示してもよい。
【００４６】
次に図６を参照して、コンピュータ１００が書籍モードとフォトスタンドモードとにおいて生成・表示する画面例を説明する。図６（Ａ）は、第１筐体１１０の開き角θ５と第２筐体１２０の開き角θ６の差が所定角度未満である場合であって、コンピュータ１００に書籍モードが設定されている場合に、ＧＵＩ生成部４０３が生成し、第１表示パネル１５０及び第２表示パネル１６０が表示する画面例である。当該書籍モードにおいて、第１表示パネル１５０及び第２表示パネル１６０は、文字等の画像を含む画面を、軸３０１ａ及び軸３０１ｂに対して並行の方向に対応する向きで表示する。つまり第１表示パネル１５０及び第２表示パネル１６０が表示する画面Ｐ５０及びＰ６０には、これらパネル１５０及び１６０の長辺方向に沿った向きで文字等の画像が配置される。
【００４７】
画面Ｐ５０及びＰ６０には、電子書籍コンテンツ等の文字や写真の画像が配置される。また画面Ｐ５０及びＰ６０には、コンテンツの次ページ又は前ページを表示させる操作を受け付けるためのページ移動画像Ｐ５１及びＰ６１が配置される。なお、書籍モードにおいてコンピュータ１００は、図６（Ａ）に示すように１のコンテンツの内容を表示するだけでなく、例えばＨＤＤ２０７に格納された複数コンテンツの一覧を表示し、何れのコンテンツを表示するかを決定する選択操作を受け付けても良い。さらにコンピュータ１００は、θ５及びθ６が所定の角度よりも小さい場合、第１表示パネル及び第２表示パネルに表示する画像の輝度を、これらパネルの領域に応じて異ならせてもよい。第１筐体１１０及び第２筐体１２０の開き角が所定角度よりも小さい場合、第１表示パネル１５０及び第２表示パネル１６０の接続部１３０に近い側では、外光の不足により画面が暗く見える場合がある。このためコンピュータ１００は、第１表示パネル１５０及び第２表示パネル１６０において接続部１３０に近い領域ほど輝度が高くなるように制御しても良い。つまり第１表示パネル１５０は、当該第１表示パネル１５０の画面における軸３０１ａの近傍の領域に、当該近傍の領域よりも軸３０１ａから遠い領域よりも輝度が高い画像を表示する。
【００４８】
図６（Ｂ）は、第１筐体１１０の開き角θ７と第２筐体１２０の開き角θ８の差が所定角度未満である場合であって、コンピュータ１００にフォトスタンドモードが設定されている場合に、第１表示パネル１５０及び第２表示パネル１６０が表示する画面例である。当該フォトスタンドモードにおいて、第１表示パネル１５０及び第２表示パネル１６０は、軸３０１ａ及び軸３０１ｂに対して並行の方向に対応する向きで画像を表示する。
【００４９】
画面Ｐ７０及びＰ８０には、ＨＤＤ２０７に格納された画像や動画像等が表示される。なおコンピュータ１００は、画像や動画像を画面Ｐ７０及びＰ８０に跨って表示しても良いし、あるいは各々の画面内に１の画像の全体が収まるように表示しても良い。またコンピュータ１００は、ＨＤＤ２０７内の複数の画像・動画像を所定時間毎に順番に表示するスライドショー表示を行っても良い。
【００５０】
なお、図５（Ｂ）、図６（Ａ）及び（Ｂ）において示した各種の表示モードは、例えばモード切替ボタン２１３への操作入力に応じて切り替えてもよい。
次に図７を参照してコンピュータ１００による画面表示に係る処理フロー例を説明する。まず角度検出モジュール２０８は、第１筐体１１０及び第２筐体１２０の少なくとも一方の開き角に変化があった場合（Ｓ７０１）、第１筐体１１０及び第２筐体１２０の開き角を検出し（Ｓ７０２）、検出した角度の情報を角度判定部４０１に出力する。ここで、コンピュータ１００が閉状態である場合（Ｓ７０３のＮｏ）、コンピュータ１００はスタンバイモードに遷移して再度Ｓ７０１の処理を実行する。なお、ここで閉状態とは、例えば第１筐体１１０の接続部１３０に対する開き角度と、第２筐体１２０の接続部１３０に対する開き角度との和が所定角度未満である状態を指す。またスタンバイモードにおいてコンピュータ１００は、例えば第１表示パネル１５０及び第２表示パネル１６０への電力供給を制限する。
【００５１】
一方Ｓ７０３においてコンピュータ１００が開状態である場合（Ｓ７０３のＹｅｓ）、即ち例えば例えば第１筐体１１０の接続部１３０に対する開き角度と、第２筐体１２０の接続部１３０に対する開き角度との和が所定角度以上である場合、角度判定部４０１は、第１筐体１１０及び第２筐体１２０の夫々の開き角に所定角度以上の差があるかを判別する（Ｓ７０４）。ここで、夫々の筐体の開き角が一定角度以上異なっている場合（Ｓ７０４のＹｅｓ）、制御部４０２はコンピュータ１００の実行状態を第１ＰＣモードに遷移させる。つまり制御部４０２は、開き角が大きい筐体側の表示パネルにデスクトップ画像を、小さい筐体側の表示パネルにキーボード画像を表示させる（Ｓ７０５、Ｓ７０６）。
【００５２】
Ｓ７０４において、夫々の筐体の開き角の差が一定角度未満である場合（Ｓ７０４のＮｏ）、制御部４０２は何れのモードが設定されているかを判別する（Ｓ７０７）。ここで第２ＰＣモードが設定されている場合（Ｓ７０７の第２ＰＣモード）、コンピュータ１００は第２ＰＣモードに遷移して図５（Ｂ）に示したような画面を表示する。即ちデスクトップ画像を第１表示パネル１５０及び第２表示パネル１６０の両方に分割して表示する（Ｓ７０８）。一方Ｓ７０７において書籍モードが設定されている場合（Ｓ７０７の書籍モード）、コンピュータ１００は図６（Ａ）に示したような、例えば書籍コンテンツの内容や一覧を配置した画面を表示する（Ｓ７０９）。またＳ７０７においてフォトスタンドモードが設定されている場合（Ｓ７０７のフォトスタンドモード）、コンピュータ１００は図６（Ｂ）のような画面を表示する（Ｓ７１０）。そしてＳ７０８、Ｓ７０９及びＳ７１０の何れかのモードの実行中にモード切替ボタン２１３に対する操作入力を受けると（Ｓ７１１のＹｅｓ）、ピュータ１００は当該操作入力に応じてモードを切り替える（Ｓ７０７）。
【００５３】
本フローにおいてコンピュータ１００は、夫々の筐体の開き角に一定値以上の差がある場合、軸３０１ａ及び３０１ｂに対して直角の方向、即ち表示パネルの短辺方向に沿った向きで画像を表示する。そしてこの場合にコンピュータ１００は、夫々の筐体の開き角の大小に応じて向きが１８０度異なる画像を表示できる。またコンピュータ１００は、夫々の筐体の開き角に一定値以上の差がない場合、軸３０１ａ及び３０１ｂに平行の方向、即ち表示パネルの短辺方向に沿った向きで画像を表示する。つまりコンピュータ１００は、夫々の筐体の開き角かに応じて、画像の向きを９０度又は２７０度変更して、第１表示パネル１５０及び第２表示パネル１６０に表示する。
【００５４】
なお上記の実施形態においては、第１筐体１１０の開き角と第２筐体１２０との両方の開き角に応じて異なる画像を表示する表示処理について説明したが、コンピュータ１００はこれら夫々の筐体の開き角に応じて、上記の表示処理以外の処理を実行しても良い。即ち、例えば接続部１３０の外面にタッチパッド等を設け、当該タッチパッドのＯＮ／ＯＦＦを、夫々の筐体の開き角の差分に応じて制御しても良い。夫々の筐体の開き角の差が大きい場合、即ち第１ＰＣモードにおいては、コンピュータ１００が載置面に載置されることが考えられるため、タッチパッドをＯＦＦにする。一方夫々の筐体の開き角の差が小さい場合には、コンピュータ１００をユーザが把持して使用することが考えられるため、タッチパッドをＯＮにすれば、ユーザの利便性を高められる。
【００５５】
（他の実施形態）
次に図８及び図９を中心にして第２実施形態を説明する。
図８Ａ）は、第２実施形態に係るコンピュータ１００の外観例を示す図である。ここでコンピュータ１００は、図１乃至図７で説明した構成に加え、接続部１３０に設けられた穴部１３０ｄ及び当該穴部１３０ｄ内に設けられた切替レバー８４０等を備える。
【００５６】
切替レバー８４０は、コンピュータ１００の第１筐体１１０及び第２筐体１２０の開き角を制御するためのレバー（スイッチ）である。そして、当該切替レバー８４０は、第１筐体１１０の接続部１４０に対する開き角と第２筐体１２０の接続部１４０に対する開き角とが対称になるように、あるいは第１筐体１１０の接続部１４０に対する開き角と第２筐体１２０の接続部１４０に対する開き角とが非対称になるように、第１筐体１１０及び第２筐体１２０の開閉動作を制限する。つまり切替レバー８４０は、ユーザからの操作に応じて、第１筐体１１０及び第２筐体１２０の開閉動作が対称になる状態（対称モード）と、非対称になる状態（非対象モード）とを切り替える。
【００５７】
図８（Ｂ）は、切替レバー８４０に係る構造の例を示す図である。切替レバー８４０は、例えば図２で説明した接続機構３００の構成と接続される。
ここで、シャフト３３０ａの回転駆動力は当該シャフト３３０ａと同一の軸３０１ａを軸とするシャフト８１０ａに伝達する。なおシャフト３３０ａとシャフト８１０ａとは例えば同一のシャフトであっても良いし、或いはギア等を介して回転駆動が伝達されるよう構成されても良い。そしてシャフト８１０ａにはギア８２０ａが固定され、当該ギア８２０ａはギア８２０ｂと噛み合うよう構成されている（ギア８２０ａ及び８２０ｂの歯は不図示）。
【００５８】
シャフト８１０ｂは、シャフト８１０ａと同様に、シャフト３３０ｂと同一のシャフト又はギアを介してシャフト３３０ｂの回転駆動が伝達されるよう構成される。そしてシャフト８１０ｂにはギア８２０ｂが回転可能に接続されている。即ちギア８２０ｂは、ギア８２０ａとは異なり、シャフトを回転軸として回転する。またギア８２０ｂは、後述する凸部８３１と噛合可能な凹部８２１が設けられている。
【００５９】
シャフト８１０ｂには、係合部８３０がシャフト８１０ｂの軸方向に対して移動可能に設けられる。なお係合部８３０は、シャフト８１０ｂのシャフト軸に対する回転を抑制されるように設けられている。また係合部８３０は凸部８３１を備え、当該凸部８３１は、係合部８３０がギア８２０側に位置している場合に凹部８２１に嵌まりこむことが可能である。
【００６０】
図８（Ｃ）は係合部８３０に関連する構造の例を示している。係合部８３０は開口部８３２を有しており、当該開口部８３２内にはシャフト８１０ｂが貫通する。そして開口部８３２の凹部とシャフト８１０ｂの凸部が噛み合うことにより、係合部８３０はシャフト８１０ｂに対する回転を抑制される。なお係合部８３０は、切替レバー８４０の位置に応じてシャフト８１０ｂにおける位置を制御され、ギア８２０ｂと噛合する位置と噛合しない位置との何れかで保持される。
【００６１】
そして、ギア８２０ｂの凹部８２１と係合部８３０の凸部８３１とが噛み合っている場合、シャフト８１０ａ及び８１０ｂは、互いに噛み合うギア８２０ａ及び８２０ｂにより互いのシャフトの回転駆動が伝達される。そしてこれらシャフトが回転する場合には互いに同じ回転角度回転することとなる。即ち、凹部８２１と凸部８３１とが噛み合っている場合に第１筐体１１０及び第２筐体１２０の一方が回動すると、他方の筐体も同じ角度回動することとなる。
【００６２】
また凹部８２１と凸部８３１とは、第１筐体１１０及び第２筐体１２０の接続部１４０に対する開き角が同じ場合に噛み合うように構成される。このため第１筐体１１０及び第２筐体１２０は、凹部８２１と凸部８３１とが係合している場合、互いに対称な開き角を維持して開閉する。つまり切替レバー８４０は、当該切替レバー８４０の位置に応じて、第１筐体１１０及び第２筐体１２０の開閉動作が対称になる状態（対称モード）と、非対称になる状態（非対称モード）とを切り替える。そして、例えば切替レバー８４０は位置に応じた信号を角度判別部４０１に出力し、角度判別部４０１は、切替レバー８４０が対称モードの位置であるか非対称モードの位置であるかを当該信号に基づいて判別してもよい。
【００６３】
次に図９を参照して、第２実施形態に係るコンピュータ１００によるによる画面表示に係る処理フロー例を説明する。本実施形態においてコンピュータ１００は、対称モード又は非対称モードから異なるモードに遷移する場合に、遷移前に表示していた内容を記憶し、元のモードに戻ってきた場合には、記憶された内容に基づいて遷移前の表示内容を表示する。
【００６４】
当フローにおいて、まず角度検出モジュール２０８が、コンピュータ１００の第１筐体１１０及び第２筐体１２０の少なくとも一方が開いているか否かを判別する（Ｓ９０１）。そして開状態の場合（Ｓ９０１のＹｅｓ）、角度判別部４０１は、切替レバー８４０の位置が対称モードに位置か非対称モードの位置かを判別する（Ｓ９０２）。ここでレバーが対称モードの位置である場合（Ｓ９０２の対称）、制御部４０２は、ＨＤＤ２０７に記憶された対称モードの表示情報を読み出す（Ｓ９０３）。
【００６５】
ここで表示情報とは、以前の対称モードの際に表示していた内容についての情報であり、例えばアプリケーションの処理状態や夫々のアプリケーションのウィンドウ位置及びサイズの情報を含む。また、動画像等のコンテンツデータのコンテンツ名、アドレス、再生位置等の情報を含んでいてもよい。ＧＵＩ生成部４０３は、読み出した表示情報に基づいて画面を生成し、第１表示パネル１５０及び第２表示パネル１６０に映像を表示させる（Ｓ９０４）。また読み出した表示情報にコンテンツデータのコンテンツ名、アドレス及び再生位置等が含まれる場合、これらの情報に基づいた再生位置からコンテンツの再生を再開してもよい。なお、対称モードで表示される画面は、例えば図５（Ｂ）、図６（Ａ）及び図６（Ｂ）のような画面であり、表示される画面は、例えば図７で説明したモード切替ボタンへの操作受付に応じるものである。
【００６６】
一方Ｓ９０２において、切替レバー８４０の位置が非対称モードの位置である場合（Ｓ９０２の非対称）、制御部４０２はＨＤＤ２０７に記憶された非対称モードの表示情報を読み出す（Ｓ９０５）。なおここでの表示情報とは、以前の非対称モードでの表示内容についての情報であり、アプリケーションの処理状態、ウィンドウ位置、サイズ、再生コンテンツ名、当該コンテンツアドレス、再生位置（動画の再生位置及び書籍コンテンツの閲覧ページ数等）等の情報を含む。そしてＧＵＩ生成部４０３は、読み出された表示情報に基づいて非対称モードの画面を生成し、第１表示パネル１５０及び第２表示パネル１６０に表示させる（Ｓ９０６）。なお、非対称モードで表示される画面は例えば図５（Ａ）のような画面である。
【００６７】
次にコンピュータ１００は、ユーザからの電源ＯＦＦ操作を受けない場合（Ｓ９０７のＮｏ）、切替レバー８４０の位置が変化したか否かを検出する（Ｓ９０８）。切替レバー８４０の位置が、対称モード及び非対称モードの位置の何れかから他方に変化した場合（Ｓ９０８のＹｅｓ）、制御部４０２は、第１表示パネル１５０及び第２表示パネル１６０に現在表示している表示内容の表示情報をＨＤＤ２０７に記憶させ（Ｓ９０９）、コンピュータ１００はＳ９０１の処理を実行する。なお、ここで表示情報を記憶させる記憶媒体は必ずしもＨＤＤ２０７でなくとも、例えばコンピュータ１００内蔵の揮発性メモリや、着脱可能なメディアであってもよい。そしてＳ９０３やＳ９０５で表示情報を読み出す際にも、Ｓ９０９で記憶させた格納先に応じた場所から読み出してもよい。
【００６８】
一方Ｓ９０８において切替レバー８４０の位置が変化していない場合であっても（Ｓ９０８のＮｏ）、第１筐体１１０及び第２筐体１２０の両方が閉まっている場合（Ｓ９１０のＹｅｓ）、コンピュータ１００はＳ９０９の処理を実行して表示情報を記憶し、Ｓ９０１の処理に戻る。
【００６９】
また、Ｓ９０７においてコンピュータ１００の電源ＯＦＦ操作を受けた場合（Ｓ９０７のＹｅｓ）、コンピュータ１００は記録後終了設定が設定されているか否か判別する（Ｓ９１１）。なお記録後終了設定とは、コンピュータをシャットダウンさせる場合に、Ｓ９０９と同様に現在表示している表示内容を記憶させるか否かの設定である。そして記録後終了設定が設定されている場合（Ｓ９１１のＹｅｓ）、表示情報を記憶し（Ｓ９１２）、シャットダウンして当処理フローは完了する。
【００７０】
なお本フローにおいては、切替レバー８４０による対称／非対称モードの切替に応じて表示情報の記憶と読み出し・表示を制御しているが、これらの処理は第１実施形態の処理に適用されてもよい。即ち図７の処理フローにおいて、Ｓ７０４にて開き角の差が一定値以上であるか否かが変化することに応じて、第１ＰＣモード、第２ＰＣモード、書籍モード、フォトスタンドモード等の表示モード毎の表示情報を記憶し、表示モードが戻った場合には表示情報を読み出して表示しても良い。
【００７１】
また、第１実施形態において、角度検出モジュール２０８の例として圧力検知型のモジュールを図２に示したが、角度検出モジュール２０８の構成はこれに限るものではなく、例えば従来のロータリーエンコーダを用いてもよい。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１００…コンピュータ、１１０…第１筐体、１２０…第２筐体、１３０…接続部、１５０…第１表示パネル、１５０ａ…第１タッチパネル、１６０…第２表示パネル、１６０ａ…第２タッチパネル、２０１…ＣＰＵ、２０２…ノースブリッジ、２０３…主メモリ、２０４…ＧＰＵ、２０５…サウスブリッジ、２０６…ＢＩＯＳ−ＲＯＭ、２０７…ＨＤＤ、２０８…角度検出モジュール、２０９…傾き検出モジュール、２１０…エンデベッドコントローラ、２１１…タッチパネルコントローラ、２１２…電源ボタン、２１３…モード切替ボタン、３００…接続機構、３１０…ベース、３２０…ベース、３３０…シャフト、３４０…キャップ、３５０…キャップ、３６０…コイルバネ、３７０…ギア、３８０…ギア、４００…表示制御プログラム、４０１…角度判別部、４０２…制御部、４０３…ＧＵＩ生成部、８１０…シャフト、８２０…ギア、８２１…凹部、８３０…係合部、８３１…凸部、８４０…切替レバー
【図１】
0005197813.tif 000002
【図２】
0005197813.tif 000003
【図３】
0005197813.tif 000004
【図４】
0005197813.tif 000005
【図５】
0005197813.tif 000006
【図６】
0005197813.tif 000007
【図７】
0005197813.tif 000008
【図８】
0005197813.tif 000009
【図９】
0005197813.tif 000010